【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
サーバコンピュータを用いて、被災者への救援物資配布に関する情報の提供を実行する救援物資の情報提供システムであって、
災害弱者を含む被災者の安否情報、災害弱者とその支援者とを関連付けた情報、並びに救援物資の配布計画に関する情報を含んだデータベースと、
被災者に対する救援物資の配布計画に関する情報を提供する手段と、を含み、
前記情報を提供する手段は、災害弱者の情報端末にはその支援者を通じた救援物資配布に関する情報を提供し、災害弱者の支援者の情報端末にはその災害弱者に対する救援物資配布に関する情報を提供することを特徴とする救援物資の情報提供システム。
【請求項２】
請求項１に記載の救援物資の情報提供システムにおいて、
被災者に対する救援物資の配布実績に関する情報を被災者から取得する手段をさらに含んでおり、
前記配布実績に関する情報を取得する手段は、災害弱者の情報端末からはその支援者を通じた救援物資の配布実績に関する情報を取得し、災害弱者の支援者の情報端末からはその災害弱者に対する救援物資の配布実績に関する情報を取得することを特徴とする救援物資の情報提供システム。
【請求項３】
請求項２に記載の救援物資の情報提供システムにおいて、
前記配布実績に関する情報を取得する手段によって取得された被災者に対する救援物資の配布実績に関する情報に基づいて、救援物資の配布計画を作成又は修正する手段をさらに含んでいることを特徴とする救援物資の情報提供システム。
【請求項４】
請求項３に記載の救援物資の情報提供システムにおいて、
被災者からの救援物資の配布希望を受け付ける手段をさらに含んでおり、
前記配布計画を作成又は修正する手段は、被災者からの救援物資の配布希望と、その被災者に対する救援物資の配布実績とから、その被災者に関する救援物資配布の重要度を決定し、該重要度に基づいて救援物資の配布計画を作成又は修正することを特徴とする救援物資の情報提供システム。
【請求項５】
請求項３又は４に記載の救援物資の情報提供システムにおいて、
前記データベースは、被災者のうち災害弱者とその他の被災者とにそれぞれ重み付けを設定した情報を含んでおり、
前記配布計画を作成又は修正する手段は、該重み付けに基づいて被災者に対する救援物資の配布計画を作成又は修正することを特徴とする救援物資の情報提供システム。
【請求項６】
請求項２から５のいずれか１項に記載の救援物資の情報提供システムにおいて、
救援物資の運搬手段からその位置情報を取得する手段をさらに含んでおり、
前記情報を提供する手段は、被災者の情報端末に救援物資の運搬手段の位置情報を提供することを特徴とする救援物資の情報提供システム。
【請求項７】
請求項６に記載の救援物資の情報提供システムにおいて、
前記救援物資の運搬手段は車両であり、
前記位置情報を取得する手段は、ＧＰＳ及びＧＩＳを利用して該車両の位置情報を取得することを特徴とする救援物資の情報提供システム。
【請求項８】
請求項６又は７に記載の救援物資の情報提供システムにおいて、
前記情報を提供する手段は、前記救援物資の運搬手段に対しても救援物資の配布計画に関する情報を提供し、
前記配布実績に関する情報を取得する手段は、前記救援物資の運搬手段からも救援物資の配布実績に関する情報を取得することを特徴とする救援物資の情報提供システム。
【請求項９】
請求項１から８のいずれか１項に記載の救援物資の情報提供システムにおいて、
被災者への情報の提供及び／又は被災者の情報の取得は、インターネットにアクセス可能な情報端末を用いて、救援物資の配布計画に関する情報を受信し、救援物資の配布実績に関する情報を送信することによって実現されることを特徴とする救援物資の情報提供システム。
【手続補正２】
【補正対象書類名】明細書
【補正対象項目名】発明の名称
【補正方法】変更
【補正の内容】
【発明の名称】救援物資の情報提供システム
【手続補正３】
【補正対象書類名】明細書
【補正対象項目名】０００８
【補正方法】変更
【補正の内容】
【０００８】
すなわち、本発明は、被災者への救援物資の情報提供システムであって、災害弱者を含む被災者の安否情報、災害弱者とその支援者とを関連付けた情報、並びに救援物資の配布計画に関する情報を含んだデータベースと、被災者に対する救援物資の配布計画に関する情報を提供する手段とを含み、災害弱者にはその支援者を通じた救援物資配布に関する情報を提供し、災害弱者の支援者にはその災害弱者に対する救援物資配布に関する情報を提供することを特徴とする救援物資の情報提供システムを提供するものである。
【手続補正４】
【補正対象書類名】明細書
【補正対象項目名】０００９
【補正方法】変更
【補正の内容】
【０００９】
本発明の救援物資の情報提供システムは、また、被災者に対する救援物資の配布実績に関する情報を被災者から取得する手段をさらに含んでおり、災害弱者からはその支援者を通じた救援物資の配布実績に関する情報を取得し、災害弱者の支援者からはその災害弱者に対する救援物資の配布実績に関する情報を取得することを特徴とする。
【手続補正５】
【補正対象書類名】明細書
【補正対象項目名】００１１
【補正方法】変更
【補正の内容】
【００１１】
本発明の救援物資の情報提供システムは、また、取得された被災者に対する救援物資の配布実績に関する情報に基づいて、救援物資の配布計画を作成又は修正する手段をさらに含んでいることを特徴とする。
【手続補正６】
【補正対象書類名】明細書
【補正対象項目名】００１３
【補正方法】変更
【補正の内容】
【００１３】
本発明の救援物資の情報提供システムは、また、被災者からの救援物資の配布希望を受け付ける手段をさらに含んでおり、被災者からの救援物資の配布希望と、その被災者に対する救援物資の配布実績とから、その被災者に関する救援物資配布の重要度を決定し、該重要度に基づいて救援物資の配布計画を作成又は修正することを特徴とする。
【手続補正７】
【補正対象書類名】明細書
【補正対象項目名】００１４
【補正方法】変更
【補正の内容】
【００１４】
本発明の救援物資の情報提供システムにおいて、前記データベースは、被災者のうち災害弱者とその他の被災者とにそれぞれ重み付けを設定した情報を含んでおり、該重み付けに基づいて被災者に対する救援物資の配布計画を作成又は修正することを特徴とする。特に救援物資に窮乏しがちな災害弱者に対して優先的に救援物資の配布を行うよう計画を立てるのが好ましい。
【手続補正８】
【補正対象書類名】明細書
【補正対象項目名】００１５
【補正方法】変更
【補正の内容】
【００１５】
本発明の救援物資の情報提供システムは、また、救援物資の運搬手段からその位置情報を取得する手段をさらに含んでおり、被災者に救援物資の運搬手段の位置情報を提供することを特徴とする。また、前記救援物資の運搬手段は車両であり、ＧＰＳ及びＧＩＳを利用して該車両の位置情報を取得することを特徴とする。
【手続補正９】
【補正対象書類名】明細書
【補正対象項目名】００１６
【補正方法】変更
【補正の内容】
【００１６】
さらに、本発明の救援物資の情報提供システムは、前記救援物資の運搬手段に対しても救援物資の配布計画に関する情報を提供し、また、前記救援物資の運搬手段からも救援物資の配布実績に関する情報を取得することを特徴とする。
【手続補正１０】
【補正対象書類名】明細書
【補正対象項目名】００１７
【補正方法】変更
【補正の内容】
【００１７】
本発明の救援物資の情報提供システムにおいて、被災者は、インターネットにアクセス可能な情報端末を用いて、救援物資の配布計画に関する情報を受信し、救援物資の配布実績に関する情報を送信することを特徴とする。例えば、携帯電話端末、ＰＤＡ（Personal Digital Assistants）端末、パーソナルコンピュータ端末などを利用することができる。
【手続補正１１】
【補正対象書類名】明細書
【補正対象項目名】００１８
【補正方法】変更
【補正の内容】
【００１８】
以上、説明したように、本発明の救援物資の情報提供システムによれば、災害発生後の救援物資の配布活動において、救援物資の配給を受ける機会を逸しやすい災害弱者と、その災害弱者の支援者（自主防災組織や民生委員など）とに、救援物資の配布計画に関してそれぞれの立場に応じた必要な情報が提供されるので、支援者を通じて災害弱者への救援物資の配布を効率よく確実に行うことが可能となる。
【手続補正１２】
【補正対象書類名】明細書
【補正対象項目名】００１９
【補正方法】変更
【補正の内容】
【００１９】
以下、添付図面を参照しながら、本発明の救援物資の情報提供システムを実施するための最良の形態を詳細に説明する。図１〜図２０は、本発明の実施の形態を例示する図であり、これらの図において、同一の符号を付した部分は同一物を表わし、基本的な構成及び動作は同様であるものとする。
【手続補正１３】
【補正対象書類名】明細書
【補正対象項目名】００２０
【補正方法】変更
【補正の内容】
【００２０】
図１は、本発明の救援物資の情報提供システムの一実施形態について、全体的な構成を概略的に示す図である。図１において、本実施形態の救援物資の情報提供システムは、救援物資配布のための情報を集約する情報センタ１０と、被災者が所有する情報端末２１と、被災者に水を配布する給水車３１とを含んでいる。被災者の情報端末２１、給水車３１は、それぞれインターネットを通じて情報センタ１０と通信することができる。給水車３１に関しては車載の情報端末を用いるか、あるいは給水作業者が有する情報端末を用いてインターネットにアクセスすることができる。
【手続補正１４】
【補正対象書類名】明細書
【補正対象項目名】００２３
【補正方法】変更
【補正の内容】
【００２３】
図２は、情報センタ１０のデータベース１４に含まれている情報を概略的に示す模式図である。ユーザ登録データベースは、本実施形態の救援物資の情報提供システムがカバーする対象地域の住民（災害発生時には被災者となりうる）についての基本的な属性情報を含んでいる。災害弱者担当データベースは、ユーザ登録データベースに登録された住民のうち災害弱者である住民とその災害弱者の支援を担当している民生委員や自主防災組織員などとを関連付けて記憶している。災害弱者担当データベースのデータ構成を図３に例示する。安否情報データベースは、登録された各住民の災害発生後の安否情報や、給水を受ける場所に関する情報などを含んでいる。尚、災害発生下では利用者端末２１などから得られた情報に基づいて、安否情報データベースのデータが随時更新されるようになっている。安否情報データベースのデータ構成を図４に例示する。給水ルート情報データベースは、給水車が巡回するルートや給水量、給水対象についての詳細な情報を含んでいる。給水ルート情報データベースのデータ構成を図５に例示する。給水実施調査データベースは、登録された住民から受信した給水希望やそれに対する給水実施記録に関する情報を含んでいる。給水実施調査データベースのデータ構成を図６に例示する。図６に示すテーブル中、重要度とは、次回給水希望、給水希望回数、給水実施回数から決定される住民が給水を必要とする程度を表す指標である。
【手続補正１５】
【補正対象書類名】明細書
【補正対象項目名】００２５
【補正方法】変更
【補正の内容】
【００２５】
次に、以上のように構成された本実施形態の救援物資の情報提供システムの利用形態について、図１７〜図２１を参照しながら詳細に説明する。以下の説明において、システム側で行われる各処理は、特に記載がない限り情報センタのメインサーバにより実行されるものとする。
【手続補正１６】
【補正対象書類名】明細書
【補正対象項目名】００３８
【補正方法】変更
【補正の内容】
【００３８】
以上、本発明の救援物資の情報提供システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。特に、上記では救援物資として水を配布する実施形態について説明したが、他の救援物資、例えば、食料、医薬品、衣料品、燃料などについても同様に実施することが可能である。
【手続補正１７】
【補正対象書類名】明細書
【補正対象項目名】００３９
【補正方法】変更
【補正の内容】
【００３９】
本発明の救援物資の情報提供システムは、サーバとして機能する情報センタと、クライアントとして機能する利用者（あるいは給水作業者を含んでいてもよい）の情報端末とからなるネットワークシステムとして構築することができる。
【手続補正１８】
【補正対象書類名】明細書
【補正対象項目名】００４０
【補正方法】変更
【補正の内容】
【００４０】
【図１】本発明の救援物資の情報提供システムの一実施形態について、全体的な構成を概略的に示す図である。
【図２】図１に示す情報センタのデータベースに含まれている情報を概略的に示す模式図である。
【図３】図２に示す災害弱者担当データベースのデータ構成を例示する図である。
【図４】図２に示す安否情報データベースのデータ構成を例示する図である。
【図５】図２に示す給水ルート情報データベースのデータ構成を例示する図である。
【図６】図２に示す給水実施調査データベースのデータ構成を例示する図である。
【図７】図２に示すメール雛形ファイルに含まれるメール雛形の具体例として、住民に安否情報の登録・照会を促すメールの雛形を示す図である。
【図８】図２に示すメール雛形ファイルに含まれるメール雛形の具体例として、一般被災者に給水情報を通知するメールの雛形を示す図である。
【図９】図２に示すメール雛形ファイルに含まれるメール雛形の具体例として、災害弱者に給水情報を通知するメールの雛形を示す図である。
【図１０】図２に示すメール雛形ファイルに含まれるメール雛形の具体例として、給水車（給水作業者）に給水情報を通知するメールの雛形を示す図である。
【図１１】図２に示すメール雛形ファイルに含まれるメール雛形の具体例として、民生委員に給水情報を通知するメールの雛形を示す図である。
【図１２】図２に示すメール雛形ファイルに含まれるメール雛形の具体例として、自主防災組織に給水情報を通知するメールの雛形を示す図である。
【図１３】図２に示すメール雛形ファイルに含まれるメール雛形の具体例として、災害弱者への給水実施を確認するために災害弱者に対して送信されるメールの雛形を示す図である。
【図１４】図２に示すメール雛形ファイルに含まれるメール雛形の具体例として、災害弱者への給水実施を確認するために民生委員に対して送信されるメールの雛形を示す図である。
【図１５】図２に示すメール雛形ファイルに含まれるメール雛形の具体例として、災害弱者への給水実施を確認するために自主防災組織に対して送信されるメールの雛形を示す図である。
【図１６】図２に示す設定ファイルのデータ構成を例示する図である。
【図１７】本発明の救援物資の情報提供システムにおいて、災害発生時に住民の安否確認を行う処理の流れを示すフローチャートである。
【図１８】本発明の救援物資の情報提供システムにおいて、災害発生後に住民に給水情報の通知を行う処理の流れを示すフローチャートである。
【図１９】本発明の救援物資の情報提供システムにおいて、給水車による給水活動が完了した後に、災害弱者に給水が行われたかどうかを確認する処理の流れを示すフローチャートである。
【図２０】本発明の救援物資の情報提供システムにおいて、給水車出動の計画を決定する処理の流れを示すフローチャートである。